(57)【特許請求の範囲】
【請求項１】
電子基板を内包する基板ケースを構成する第１ケース及び第２ケースと、
前記基板ケースを封止する封止部材と、を備え、
前記第１ケースには、前記封止部材を貫通させる貫通孔が形成され、
前記第２ケース側には、前記封止部材を挿入する挿入穴が配置され、
該封止部材は、
前記貫通孔を貫通して前記挿入穴に挿入される略円柱状の本体部と、
該本体部の上部側において突出形成されたフランジ部と、
該本体部から側方に向けて拡張可能な拡張部と、を有し、
前記フランジ部が前記貫通孔の入口近傍に係合し、かつ、前記拡張部が前記挿入穴内部に形成された係合凹部に係合することにより、前記第１ケースと前記第２ケースとの封止が実現され、
前記拡張部が、前記本体部から側方に向けて拡張する複数の拡張片を有しており、
前記本体部が、該拡張片を収納する収納部を有しており、かつ、
前記本体部が前記挿入穴に挿入された際に、該複数の拡張片が放射方向に拡張することにより前記係合凹部に係合する基板ケースユニットと、
該基板ケースユニット内に内包される前記電子基板と、
遊技媒体を用いた遊技を実現する遊技装置体と、
該遊技装置体を保持する遊技機枠と、を有し、
前記封止部材が、更に前記本体部から側方に向けて進退可能に突出する突出ピンを、前記複数の拡張片と別に有し、
該突出ピンは、突出状態で前記係合凹部に係合するように構成されており、かつ、
前記突出ピンと前記係合凹部との係合状態においては、前記拡張片と前記係合凹部とが係合しないように構成されている、遊技機。
【請求項２】
前記拡張部が、前記本体部と別体として構成され、かつ、
前記本体部における上部側と反対側の下部側に配置され、
前記下部側から前記上部側に向かうに従い、少なくとも一部の前記拡張片の拡張幅が拡大している、請求項１に記載の遊技機。
【請求項３】
前記本体部の一部と前記拡張部の一部とが、前記下部近傍において結合されることにより前記本体部からの前記拡張部の脱落を防止している、請求項１又は請求項２に記載の遊技機。
【請求項４】
前記第２ケースに、該第２ケースと別体として構成された係合部材が設置され、
該係合部材に、前記係合凹部が形成された前記挿入穴が開口されている、請求項１から請求項３のうちいずれか１項に記載の遊技機。
【発明の詳細な説明】
【技術分野】
【０００１】
本発明は、遊技機に係り、特に、不正防止効果の高い遊技機に関する。
【背景技術】
【０００２】
パチンコ機等の遊技機においては、弾球された遊技球が遊技領域（遊技盤面又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機においては、年々遊技の態様や演出が複雑化・多様化してきており、それに伴い遊技機の動作や演出を制御するための電子回路基板の構造や機能も複雑化・多様化してきている。このような電子基板に対して不正な破壊や改造が行われると、遊技が適正に行われなかったり、一部の不正な遊技者に対して不当な利益が付与されてしまったりするおそれがある。そのため、電子基板を基板ケースによって内包し、外部からアクセスし難く構成している。
【０００４】
このように基板ケースによって電子基板を内包することにより、電子基板へ不正アクセスをし難くすることができる。また、一般的に電子基板を内包する基板ケースは、本体ケースと蓋ケースとによって構成されており、内包する電子回路基板の実装面を透視し得るように蓋ケースを透明な材質によって構成している。
【０００５】
そして、本体ケースと蓋ケースとは、いわゆるカシメ部材と呼ばれる封止部材によって開放（分離）不可能に封止されている。カシメ部材は、本体ケースと蓋ケースとに跨るように不可逆的に（すなわち、取り外し不可能に）設置される。カシメ部材で、一旦本体ケースと蓋ケースとを封止すると、その後は、カシメ部材を破壊するか、基板ケースを破壊しないと両ケースの開放ができない。そのため、万一、両ケースが開放されて電子基板に対して不正行為が行われると、その電子基板がたとえ元の位置に戻されていたとしても、カシメ部材や基板ケースに破壊の痕跡が残り、開放されたことの履歴が発見できるようになっている。
【０００６】
例えば、特許文献１には、本体２と蓋３とをロックピン１６によって封止する構造が開示されている。また、特許文献２には、封止ピン３７の封止用係合部４６が第１ケース体１４のピン係止部３５に係合されて、第１ケース体１４と第２ケース体１６とが封止される構成が開示されている。
【先行技術文献】
【特許文献】
【０００７】
【特許文献１】特開平１１−４７４０２号公報
【特許文献２】特開平１１−２３９６５０号公報
【発明の概要】
【発明が解決しようとする課題】
【０００８】
しかし、近年においては、基板ケースの不正開放はより巧妙に行われる。例えば、基板ケースにドリル等の不正工具を用いて穴を開け、その穴から針金等の工具を挿入してカシメ部材と基板ケースとの係合を解除し、カシメ部材を基板ケースから引き抜いて基板ケースを不正開放することが行われる場合がある。しかしながら、本来的には、基板ケースに不正に穴を開けたとしても、カシメ部材が基板ケースから引き抜けないようになっていることが好ましい。
【０００９】
本発明は、上記の事情に鑑みて為されたもので、封止部材に対する不正行為を行い難くし、効果的に基板ケースに対する不正行為を予防することのできる基板ケースユニット及び遊技機を提供することを例示的課題とする。
【課題を解決するための手段】
【００１０】
上記の課題を解決するために、本発明の例示的側面としての基板ケースユニットは、協働して電子基板を内包する基板ケースを構成する第１ケース及び第２ケースと、第１ケースと第２ケースとを実質的に分離不可能に封止する封止部材と、を備えた基板ケースユニットであって、第１ケースには、封止部材を貫通させる貫通孔が形成され、第２ケース側には、封止部材を挿入する挿入穴が配置され、封止部材は、貫通孔を貫通して挿入穴に挿入される略円柱状の本体部と、本体部の上部側において突出形成されたフランジ部と、本体部から側方に向けて拡張可能な拡張部と、を有し、フランジ部が貫通孔の入口近傍に係合し、かつ、拡張部が挿入穴内部に形成された係合凹部に係合することにより、第１ケースと第２ケースとの封止が実現され、拡張部が、本体部から側方に向けて拡張する複数の拡張片を有しており、かつ、本体部が挿入穴に挿入された際に、複数の拡張片が放射方向に拡張することにより係合凹部に係合する。
【００１１】
拡張部が複数の拡張片を有しており、本体部が挿入穴に挿入された際に、それらが放射方向に拡張して係合凹部に係合するので、本体部周りの複数箇所で拡張片と係合凹部とが係合することとなる。したがって、１箇所の拡張片の係合を解除したとしても残りの拡張片が係合しているので、封止部材の基板ケースからの取り外しを非常に困難なものとすることができる。
【００１２】
例えば、基板ケースに不正に穴を開けて拡張片を押し込んで係合を解除しようとする場合、封止部材を取り外すためには、本体部の全周に亘って複数箇所に穴を開けて同時的に拡張片を押し込む必要があり、実質的にその不正行為を不可能とすることができる。したがって、封止部材を不正に取り外して基板ケースを不正に開放（分離）する行為を効果的に予防することができ、ひいては基板ケース内の電子基板に対する不正な改造や交換を防止することができる。
【００１３】
ここで、典型的には、封止部材は金属製であり、本体部は円柱形状である。もちろん、本体部は円柱形状以外の、例えば四角注形状や六角柱形状であっても問題はない。フランジ部は、本体部より大径の円盤部であって、第１ケースに係合する部分である。本体部から側方に向けて拡張する拡張片は、例えば、側方（すなわち、本体部の長手方向に直交する方向。）に向けて突出する突出片であってもよいし、弾性を有して側方に向けて撓む樹脂片であってもよいし、バネ鋼等の金属材料で形成されて側方に向けて撓む板バネ片であってもよい。複数の拡張片が放射方向に拡張する、とは、上記の突出片、樹脂片、板バネ片等が本体部から放射方向に、すなわち各々異なる方向に向けて突出することを意味する。
【００１４】
拡張部が、本体部と別体として構成され、略円筒形状を呈してその円筒側面の一部が長手方向に沿って分離されていることによりその内径の拡縮が可能とされ、その中空内部に本体部が挿入可能とされており、かつ、円筒側面に長手方向に沿って形成された複数のスリットによって各々独立して弾性変形することにより拡張する複数の拡張片が構成されていてもよい。
【００１５】
拡張部が本体部と別体として構成されているので、封止部材の本体部側を簡単な構造及び形状で形成することができる。そして、その別体とされた拡張部の径が拡縮可能とされているので、本体部を中空内部に挿入する際にもその挿入作業が簡単であり、また、本体部の径が多少バラついても適切にフィットする。
【００１６】
拡張片が本体部に複数のスリットを形成することにより構成されているので、拡張片の形成が非常に簡易である。また、拡張部が樹脂やバネ鋼による弾性を有していれば、封止部材を貫通孔に通過させるときの径の縮小と、挿入穴内で例えば花弁状に弾性変形することにより拡張する際の径の拡大とを、塑性変形や損傷を伴うことなく繰り返し行うことができる。
【００１７】
本体部の周面には、段差を介して小径とされた小径部と、その小径部の両側に小径部よりも大径とされた大径部とが形成されており、小径部の長手方向寸法は拡張部の長手方向寸法以上であり、大径部と小径部との段差寸法は円筒側面における拡張部の厚さ寸法以上であり、大径部の一部と拡張部の一部とが噛み合うことにより本体部に対する拡張部の回転が規制されていてもよい。
【００１８】
本体部の小径部に拡張部が収納されるので、大径部に合わせて形成した貫通孔に、拡張部を取り付けた本体部を円滑に通過させることができる。そして、貫通孔を通過した後に、挿入穴内において拡張片が拡張し、確実な封止を実現する。なお、大径部の一部と拡張部の一部とが噛み合うような回転規制構造を有していれば、本体部に対して不用意に拡張部が中心軸周りに回転してしまうことが防止される。
【００１９】
本発明の他の例示的側面としての遊技機は、遊技媒体を用いた遊技を実現する遊技装置体と、遊技装置体を保持する遊技機枠と、上記の基板ケースユニットと、基板ケースユニット内に内包される電子基板と、を有する。
【００２０】
この遊技機によれば、基板ケースの不正開放が予防され、基板ケース内の電子基板への不正アクセスが予防されるので、電子基板に不正な改造が行われることにより、遊技者が不正に利益を得たり、遊技機ホール側が不測の不利益を被る虞が低減する。したがって、安全かつ安心な遊技提供に資することができる。ここで、遊技機としては、典型的にはパチンコ機であるが、もちろん電子基板を使用する種々の遊技機、例えばパチスロ機、スロットマシン、アーケードゲーム機等を概念することができる。
【００２１】
本発明の更なる目的又はその他の特徴は、以下添付図面を参照して説明される好ましい実施の形態によって明らかにされるであろう。
【発明の効果】
【００２２】
本発明によれば、簡単な構成で基板ケースの不正開放を従来より一層効果的に予防し、ひいては基板ケース内の電子基板に対する不正な改造、交換等のアクセスを予防することができる。したがって、遊技者の不正な利益、ホール側の不測の不利益を防止し、安全かつ安心な遊技提供に資する。
【図面の簡単な説明】
【００２３】
【図１】本発明の実施形態１に係るパチンコ機の正面図である。
【図２】図１に示すパチンコ機の背面図である。
【図３】主制御基板ケースの正面図である。
【図４】主制御基板ケースの分解斜視図である。
【図５】図４に示す封止部材の分解図である。
【図６】図５に示す本体部に拡張部を取り付けた状態の封止部材の断面図である。
【図７】本発明の変形例に係る封止部材の外観斜視図である。
【図８】実施形態２に係る基板ケースユニットを有するパチンコ機の背面図である。
【図９】図８に示す基板ケースユニットの分解斜視図である。
【図１０】図９に示す封止部材の分解図である。
【図１１】図９に示す主制御基板ケースに封止部材を取り付けた状態を示す断面図である。
【図１２】実施形態３に係る封止部材の分解図である。
【図１３】主制御基板ケースに図１２に示す封止部材を取り付けた状態を示す断面図である。
【図１４】変形例２に係る封止部材の分解図である。
【発明を実施するための形態】
【００２４】
［実施形態１］
以下、本発明の実施形態１について図面を用いて説明する。図１は、本発明の実施形態１に係る基板ケースユニットを有する遊技機としてのパチンコ機２の正面図であり、図２は、図１に示すパチンコ機２の背面図である。このパチンコ機２は、遊技機枠３、遊技盤ユニット５、ガラス１０、発射ユニット（不図示）、球皿１４を有している。発射ユニットは、遊技盤ユニット５に構成される遊技領域１６に向けて１球ずつ遊技球２３を発射可能である。
【００２５】
パチンコ機２は、遊技者が後述する発射装置ハンドル１５を操作することによって、遊技領域１６に向けて遊技球が発射ユニットによって発射され、遊技球の流下による遊技が実現される。なお、遊技機は、パチンコ機２の他にパチンコ式スロットマシン機、スロットマシン、コインゲーム機等のアーケードマシン、各種ゲーム機を概念することができ、要するに、遊技媒体を用いた遊技を実現する遊技領域を有するあらゆる遊技機が含まれる。
【００２６】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施形態１においては、デジパチ遊技（１種遊技、図柄変動遊技ともいう。）を実現するいわゆる１種タイプのパチンコ機について例示説明する。なお、図柄変動遊技については後述する。
【００２７】
パチンコ機２の遊技機枠３は、後述する遊技盤ユニット（遊技装置体）５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００２８】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。遊技機枠は、遊技盤ユニット５を保持する前枠９と、後述する主制御基板ケース（基板ケース）３５と、を備えている。
【００２９】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００３０】
球皿１４は、遊技者の持ち球を貯留するためにパチンコ機２の前面に配置された皿部材であって、本実施形態１においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００３１】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００３２】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００３３】
遊技盤６は、その表面側に遊技球２３の流下による遊技を実現するための遊技領域１６を構成するための盤状部材であり、遊技盤６を前方から遊技者にとって視認可能となるように遊技機枠３（本実施形態１においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００３４】
遊技釘２７は、遊技領域１６を流下する遊技球２３と衝突してその流下方向を変更させる流下変更部材であり、遊技領域１６内に多数配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００３５】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されると共に、センター役物７の中央部には、演出表示装置７ａが配置されている。
【００３６】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００３７】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００３８】
図２に示すように遊技盤６の裏面側には、パチンコ機２の全体の制御を行う電子基板としての主制御基板３４を内包する主制御基板ケース３５と、演出表示装置７ａの画像表示等演出の制御等を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００３９】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出し契機となり、あるものはいずれの入球装置にも流入せずに遊技領域１６内最下部に位置するアウト口３０に流入してアウト球としてパチンコ機２の外部側へと排出される。
【００４０】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００４１】
次いで、主制御基板３４及びこの主制御基板３４を内包する主制御基板ケース３５について図３及び図４を用いて詳細に説明する。以下の説明においては、上下及び前後左右の方向は、遊技者からパチンコ機２を見た際の方向に基づいて定義し、図中に適宜図示する。なお、本実施形態１では、主制御基板３４及び主制御基板ケース３５について例示して説明するが、他の制御基板ケースについても同様の構造を採用することが可能である。
【００４２】
図３は、主制御基板３４を収容した主制御基板ケース３５の正面図であり、図４は、主制御基板３４及び主制御基板ケース３５の分解斜視図である。
【００４３】
主制御基板ケース３５は、遊技盤の裏面に装着される本体ケース（第１ケース、基板ケースの一部）３５ａと、本体ケース３５ａに対して着脱自在に固定される蓋ケース（第２ケース、基板ケースの一部）３５ｂとの２つの基板ケースを有し、これら両者が協働して主制御基板３４を内部に内包する。主制御基板３４は、蓋ケース３５ｂの内面側に形成された開口部に固定されて、蓋ケース３５ｂと本体ケース３５ａとが係合することにより、主制御基板ケース３５の内部に収容されるようになっている。この収容された状態では、主制御基板３４に対して外部から接触することはできない。
【００４４】
主制御基板３４は、板状の基板３４ａと、基板３４ａの表面（ここでいう表面は、パチンコ機２を正面から視認した状態において後面側となる。）３４ｄに実装された電子部品と、を備えている。電子部品は、ＲＯＭ、ＲＡＭ、ＣＰＵ等の集積回路３４ｂと、接続コネクタ３４ｃと、を有して構成されている。
【００４５】
主制御基板３４の周囲には、蓋ケースに固定するための固定穴３４ｆが形成されている。主制御基板３４の後側から固定穴３４ｆに固定ネジを挿入して、この固定ネジと蓋ケース３５ｂのネジ穴（図示せず）とをネジ止めすることにより、主制御基板３４が蓋ケース３５ｂ内に固定されるようになっている。
【００４６】
図４に示す主制御基板ケース３５の下側部には、ヒンジ部が設けられている。ヒンジ部は、本体ケース３５ａの下側壁面に沿った軸部（図示せず）と、この軸部に係止される円弧状の弧状爪部３５ｅと、を有して構成され、軸部は蓋ケース３５ｂに形成され、弧状爪部３５ｅは本体ケース３５ａに形成されている。蓋ケース３５ｂは本体ケース３５ａに対して軸部を中心として揺動可能に支持されており、蓋ケース３５ｂが本体ケース３５ａに対して回転移動することより、主制御基板ケース３５の開口部を開放した開状態と閉鎖した閉状態とを実現する。
【００４７】
＜封止部材の構造＞
主制御基板ケース３５の上側部には、封止部４１が形成されている。封止部４１は、本体ケース３５ａに形成された貫通孔４２と、蓋ケース３５ｂに形成された挿入穴４３とに封止部材４４が取り付けられて構成される（図６も参照）。この封止部材４４と本体ケース３５ａと蓋ケース３５ｂとを有して基板ケースユニット４５が構成される。
【００４８】
図５は、封止部材４４の分解図である。この封止部材４４は、本体部４４ａとフランジ部４４ｂとを有しており、その本体部４４ａに対して別体とされた拡張部４６が取り付けられて構成されている。本体部４４ａとフランジ部４４ｂとは、本実施形態１においては一体で形成されている。本体部４４ａ及びフランジ部４４ｂは、大略円柱形状を呈する金属部材である。本体部４４ａの上部に本体部よりも大径とされたフランジ部４４ｂが形成されている。
【００４９】
本体部４４ａには、段差を介して小径とされた小径部４７が形成されており、その小径部の両側には段差を介して小径部よりも大径とされた大径部４８が形成されている。本体部４４ａは拡張部４６の中空内部に挿入されて、この小径部４７の周囲に巻き付けられるように拡張部４６が取り付けられる。
【００５０】
拡張部４６は、本実施形態１においてはバネ鋼で形成されているが、樹脂で形成されてもよい。略円筒形状を呈しており、その円筒側面の一部が長手方向に沿って分離された分離部４６ａとされており、この分離部４６ａの存在によって、拡張部４６の内径が拡縮可能とされている。そのため、若干分離部４６ａを押し広げながら本体部４４ａを挿入し、挿入後は、拡張部４６のバネ性によって内径が縮小して、拡張部４６は小径部４７に密着する。
【００５１】
図６は、本体部４４ａに拡張部４６を取り付けた状態の封止部材４４の断面図である。拡張部４６は、拡張片４９がフランジ部４４ｂ側に向けて開く（拡張する）ように取り付けられる。小径部４７の長手方向寸法Ｈ１は、拡張部４６の高さ寸法（長手方向寸法）Ｈ２以上とされている。したがって、拡張部４６が大径部４８にまでかかってしまうことなく長手方向において小径部４７内に収まる。そして大径部４８と小径部４７との段差寸法Ｄ１は、拡張部４６の厚さ寸法Ｄ２以上とされている。したがって、拡張片４９が閉じた状態（図６における二点鎖線）においては、拡張部４６の厚さを含めた本体部４４ａの外形寸法は、大径部４８における寸法以下である。貫通孔４２は、大径部４８が挿入可能な寸法となっているので、小径部４７に取り付けた拡張片４９の貫通孔４２を通過することができる。
【００５２】
拡張片４９は、拡張部４６の円筒側面に長手方向（高さ方向）に沿って形成された複数のスリット５２によって各々独立して弾性変形するように複数形成される。スリット５２は、拡張部４６の高さ方向における途中位置（略中央）まで形成され、その部分から複数の拡張片４９が各々放射方向に切り起こされている。この拡張片４９が複数の放射方向において実質的に封止機能を発揮する。
【００５３】
また、大径部４８の一部に長手方向の突出する突出部４８ａが形成され、拡張部４６の一部であって、突出部４８ａに対応する位置に部分的に切り欠かれた切欠き部４６ｂが形成されている。この切欠き部４６ｂと突出部４８ａとが噛み合うことにより、本体部４４ａに対する拡張部４６の回転が規制されている。したがって、本体部４４ａに対して拡張部４６、すなわち拡張片４９が不用意にクルクル回ってしまうことがない。
【００５４】
＜封止部材の取付け手順＞
本体ケース３５ａと蓋ケース３５ｂとを閉鎖した状態とすると、貫通孔４２に対応して挿入穴４３が配置される。その貫通孔４２に封止部材４４の本体部４４ａを通過させる。本体部４４ａの通過に伴って、拡張片４９が貫通孔４２入口に当接するが、本体部４４ａを押し込むことによって、拡張片４９がその弾性によって閉じ（縮小し）、貫通孔４２を通過する。
【００５５】
拡張片４９が閉じた状態で、拡張部４６は本体部４４ａと共に貫通孔４２から挿入穴４３へと移動する。挿入穴４３内部には、係合溝（係合凹部）４３ａが形成されている。この係合溝４３ａは、貫通孔４２の直径よりも大径であって挿入穴４３の内壁周面に沿って形成された溝であり、拡張片４９の放射方向への拡張を許容する。
【００５６】
拡張部４６が貫通孔４２を通過して挿入穴４３内部の係合溝４３ａに到達すると、拡張片４９はその弾性に基づき係合溝４３ａ内部で花弁状に弾性変形して放射状に拡張する。その結果、拡張片４９の上端部４９ａが係合溝４３ａ内の上面４３ｂに係合し、主制御基板ケース３５の封止が実現される。複数の拡張片４９が様々な方向（放射方向）に向けて拡張し、係合溝４３ａの上面４３ｂに係合しているので、この複数の拡張片４９のすべてを縮小方向に同時に移動させて封止部材４４を取り外すことが実質的に不可能とされている。
【００５７】
［変形例］
図７は、本発明の変形例に係る封止部材４４の外観斜視図である。この封止部材４４は、本体部４４ａとフランジ部４４ｂとを有しており、本体部４４ａから四方向に向けて進退可能な突出ピン５０が突出配置されている。突出ピン５０はバネ等の付勢部材によって本体部４４ａ内部から放射方向に突出しており、外側から手で押さえ込めば本体部４４ａ内に退避可能である。
【００５８】
突出ピン５０の下側にはテーパ面５１が形成されている。このテーパ面５１が貫通孔４２の入口部分を斜めに受けることにより、本体部４４ａを貫通孔４２に挿入するに従い、自然と突出ピン５０が本体部４４ａ内に退避するようになっている。そして、突出ピン５０が挿入穴４３内部の係合溝４３ａに到達すると放射方向に突出し、封止部材４４と蓋ケース３５ｂとの係合が実現する。
【００５９】
［実施形態２］
図８〜図１１を用いて、実施形態２について説明する。なお、実施形態１と同様の構成については、同様の符号を付し、その説明を省略する。図８は、実施形態２に係る基板ケースユニット６５を有するパチンコ機６２の背面図である。図９は、基板ケースユニット６５の分解斜視図である。基板ケースユニット６５は、封止部材７１、主制御基板ケース６６を有して大略構成され、その主制御基板ケース６６は、本体ケース（第１ケース）６６ａと蓋ケース（第２ケース）６６ｂとを有している。なお、この実施形態２に係るパチンコ機６２においては、遊技盤の裏面に蓋ケース６６ｂが装着され、その蓋ケース６６ｂに対して本体ケース６６ａが遊技機後面側から取り付けられるようになっている。
【００６０】
この実施形態２においては、蓋ケース６６ｂに主制御基板３４をネジで締結する。そして、蓋ケース６６ｂに対し本体ケース６６ａを右方向（図８，９において方向矢印で示す右方向であって、パチンコ機６２における右方向）にずらした状態で後方から被せるように主制御基板３４を収納する。その後、本体ケース６６ａを左方向にスライド移動させると、蓋ケース６６ｂの係合フック６７が本体ケース６６ａの係合穴６８に係合し、両ケース６６ａ，６６ｂが閉鎖される。
【００６１】
スライド移動後に、本体ケース６６ａに開口形成された貫通孔４２と蓋ケース６６ｂ側に配置された挿入穴７０とに封止部材７１が挿入される。図１０は、封止部材７１の分解図である。図１１は、図９に示す主制御基板ケース６６に封止部材７１を取り付けた状態を示す断面図である。
【００６２】
＜封止部材の構造＞
主制御基板ケース６６の上側部には、封止部７４が形成されている。封止部７４は、本体ケース６６ａに貫通孔４２が開口形成され、蓋ケース６６ｂに受け穴７５が開口形成されてその受け穴７５内に受け部材（係合部材）７６が挿入され、貫通孔４２から受け部材７６の挿入穴７０にかけて封止部材７１が取り付けられて構成される。この封止部材７１と本体ケース６６ａと蓋ケース６６ｂとを有して基板ケースユニット６５が構成される。
【００６３】
封止部材７１は、本体部７２とフランジ部７８とを有しており、その本体部７２に対して別体とされた拡張部７３が取り付けられて構成されている。本体部７２とフランジ部７８とは、本実施形態２においては一体で形成されている。
【００６４】
本体部７２及びフランジ部７８は、大略円柱形状を呈して望ましくは鉄、真鍮等の金属部材で構成されており、その高強度により破断や変形に対して高い耐性を有している。したがって、本体部７２を不正に破壊したり加工したりすることが困難となっている。本体部７２の上部側（図１０における矢印Ｘ側）に本体部７２よりも大径とされたフランジ部７８が形成されている。そして、フランジ部７８は、本体ケース６６ａの貫通孔４２に挿入され係合されるようになっている。
【００６５】
本体部７２の下方（−Ｘ方向）側に、段差を介して小径とされた小径部７２ａが形成されており、その小径部の周面７２ｂに、周方向に沿って凹設された周溝７２ｃが形成されている。この周溝７２ｃに、後述する拡張部７３側の屈曲部７３ａが係合するようになっている。
【００６６】
拡張部７３は、本実施形態２においてはバネ鋼で形成されているが、樹脂で形成されてもよい。拡張部７３は、展開状態において、略六角形状平板とされた底部７３ｂから放射方向に６つの拡張片７３ｃが延設されており、大略雪結晶様の形状とされている。その６つの拡張片７３ｃを略６０°〜８５°程度の角度に切り起こし、更に６つの拡張片７３ｃのうちの２〜３つの拡張片７３ｃの先端を内側に屈曲させて屈曲部７３ａとしている。
【００６７】
拡張部７３を、その底部７３ｂを下方として本体部７２の下部側から挿入すると、屈曲部７３ａが本体部７２の下部側に形成されたテーパ部７２ｅに沿って広げられ、周溝７２ｃに係合するようになっている。したがって、挿入された拡張部７３は、本体部７２から取外し不能となる。
【００６８】
例えば、フランジ部７８の直径φ１＝１６ｍｍ、本体部の大径部７２ｄの直径φ２＝１０ｍｍ、小径部７２ａの直径φ３＝９ｍｍ、周溝における直径φ４＝６ｍｍである。このとき、例えば、拡張片７３ｃ（屈曲部７３ａのないもの）のＸ方向長さＬ１＝５．５ｍｍ、複数の拡張片７３ｃ（屈曲部７３ａのないもの）の先端部が構成する仮想円の直径φ５＝１３ｍｍ、拡張片７３ｃ（屈曲部７３ａのあるもの）のＸ方向長さＬ２＝５．０ｍｍ、屈曲部７３ａが構成する仮想円の直径φ６＝６．５ｍｍである。
【００６９】
φ４＜φ６＜φ３となっているので、屈曲部７３ａは周溝７２ｃに確実に係合され、かつその状態で本体部７２に対して拡張部７３が回転可能とされている。また、その係合状態において、拡張片７３ｃを本体部７２に沿うように折り畳んだ場合、拡張片７３ｃは小径部７２ａ内に収容可能とされる。すなわち、拡張片７３ｃの先端は小径部７２ａと大径部７２ｄとの間の段差部に到達せず、かつ拡張片７３ｃの厚さは、大径部７２ｄと小径部７２ａとの半径差以下とされている。
【００７０】
拡張部７３は、バネ鋼で形成されているので弾性を有している。本体部７２と拡張部７３との係合状態で、拡張片７３ｃは、下部側（−Ｘ側）から上部側（Ｘ側）に向かうに従い拡張幅が放射方向に広がるようになっている。封止部材７１を貫通孔４２に挿入する際には、拡張片７３ｃはその弾性によって本体部７２に沿うように折り畳まれ、小径部７２ａに収容される。そして、挿入完了後には、拡張片７３ｃはその弾性により挿入穴７０内部で放射方向に拡張する。
【００７１】
蓋ケース６６ｂの受け穴７５には受け部材７６が挿入されている。本実施形態２においては、受け部材７６は、蓋ケース６６ｂと別体の部材であり、押え部材７９によって蓋ケース６６ｂに対して取外しが不可能又は困難に設置されている。蓋ケース６６ｂに対する設置を実現する手段としては、図示しない係合手段や締結手段等であってもよい。
【００７２】
受け部材７６には、挿入穴７０が開口形成されている。挿入穴７０は、封止部材７１が挿入された際に、拡張片７３ｃが係合される穴である。図１１に示すように、挿入穴７０は、小径部７０ａと大径部（係合凹部）７０ｂとを有している。小径部７０ａは、挿入穴７０の入口近傍に配置され、貫通孔４２と略同径とされている。小径部７０ａは、封止部材７１の本体部７２及び折り畳まれた拡張部７３の通過を許容するが、拡張状態の拡張片７３ｃの通過を阻止する。
【００７３】
大径部７０ｂは、小径部７０ａに続く奥側に配置され、小径部７０ａよりも大径とされている。小径部７０ａを通過した折り畳み状態の拡張片７３ｃは、この大径部７０ｂにおいて拡張が許容される。拡張状態の拡張片７３ｃの先端部７３ｄは、小径部７０ａよりも大径状態となっている。したがって、封止部材７１を引き抜こうとしても、先端部７３ｄは、上面７０ｃに当接して小径部７０ａを通過することができず、封止部材７１の引き抜きは不可能である。拡張片７３ｃが拡張した結果、封止部材７１は、フランジ部７８と拡張片７３ｃとにより、本体ケース６６ａと蓋ケース６６ｂとを開放不能に封止する。
【００７４】
なお、挿入穴７０においては、例えば、φ２＜小径部７０ａの直径φ７＝貫通孔４２の直径＝１１ｍｍ＜φ３、φ７＜大径部７０ｂの直径φ８＝１５ｍｍである。
【００７５】
＜封止部材の取付け手順＞
封止部材７１の取付け手順については、実施形態１と略同様であるので詳細な説明は省略する。すなわち、本体ケース６６ａと蓋ケース６６ｂとを閉鎖した状態とし、封止部材７１をその底部７３ｂ側から貫通孔４２に挿入する。挿入が完了すると、拡張片７３ｃが挿入穴７０の大径部７０ｂ内で放射方向に拡張し、拡張状態となる。この拡張状態では、封止部材７１が本体ケース６６ａと蓋ケース６６ｂとを開放不可能に封止するので、内部に収容された主制御基板３４に不正にアクセスすることができない。
【００７６】
［実施形態３］
図１２、図１３を用いて、実施形態３について説明する。なお、実施形態２と同様の構成については、同様の符号を付し、その説明を省略する。
【００７７】
本体ケース６６ａに開口形成された貫通孔４２と蓋ケース６６ｂ側に配置された挿入穴７０とに封止部材８１が挿入される。図１２は、封止部材８１の分解図である。図１３は、主制御基板ケース６６に封止部材８１を取り付けた状態を示す断面図である。
【００７８】
＜封止部材の構造＞
封止部材８１と本体ケース６６ａと蓋ケース６６ｂとを有して基板ケースユニット７７が構成される。
【００７９】
封止部材８１の基本的な構造は、実施形態２における封止部材７１の構造に近似している。実施形態２における封止部材７１と異なる点として、封止部材８１は、突出ピン８２、収容部８３、カシメ部８４を有している点を列挙できる。また、本体部８１ａは、実施形態２における小径部７０ａに相当する小径とされた部分を有していない。
【００８０】
突出ピン８２は、本体部８１ａから側方（放射方向）に向けて進退可能に突出している。バネ等の付勢部材（不図示）によって突出方向（側方、放射方向）に向けて付勢されており、側方から本体部８１ａの円柱中心軸に向けて押し込むと、本体部８１ａ内に退避可能とされている。
【００８１】
収容部８３は、拡張片７３ｃを収容するためのものである。本実施形態３においては、収容部８３は、本体部８１ａの周面８５上に円柱中心軸方向に沿って凹設された４本の縦溝である。実施形態３における拡張部７３は、４つの拡張片７３ｃを有している。４つの拡張片７３ｃは、屈曲部を有していない。
【００８２】
４つの収容部８３は、４つの拡張片７３ｃに対応する位置に配置されており、拡張部７３を本体部８１ａに取り付けた状態において、拡張片７３ｃを本体部８１ａに沿うように折り畳むと、拡張片７３ｃは収容部８３内に収容される。そのため、封止部材８１を本体ケース６６ａの貫通孔４２に挿入する際、本体部８１ａの直径と略同径とされた貫通孔４２を、本体部８１ａ及び拡張片７３ｃは通過することができる。
【００８３】
拡張部７３の底部７３ｂには、小判形状のカシメ孔７３ｅが開口され、本体部８１ａの下部側にカシメ凸部７２ｆが突出形成されている。これらカシメ孔７３ｅとカシメ凸部７３ｆとを有してカシメ部８４が構成される。
【００８４】
カシメ凸部７２ｆはカシメ孔７３ｅに対応する位置に突出形成されている。カシメ凸部７２ｆの外形形状は、カシメ孔７３ｅに対応して小判形状とされている。カシメ孔７３ｅにカシメ凸部７２ｆを挿入して両者をカシメ結合することにより、本体部８１ａと拡張部７３とが高強度に結合される。また、カシメ孔７３ｅとカシメ凸部７２ｆとが小判形状とされているので、本体部８１ａに対する拡張部７３の位置決めが容易となる。その結果、収容部８３に対する拡張片７３ｃの正確な位置決めも容易となる。
【００８５】
実施形態３における受け部材７６は、実施形態２における受け部材７６と略同様である。突出ピン８２を本体部８１ａ内に退避させつつ本体ケース６６ａ側の貫通孔４２を通して受け部材７６の挿入穴７０に封止部材８１を挿入すると、拡張片７３ｃが収容部８３内に収容されつつ本体部８１ａが貫通孔４２を通過する。挿入が完了すると、挿入穴７０の大径部７０ｂ内で拡張片７３ｃが放射方向に拡張する。更に、突出ピン８２が大径部７０ｂ内で側方に突出する。これにより、本体ケース６６ａと蓋ケース６６ｂとが封止部材８１によって開放不能に封止される。
【００８６】
ここで、図１３に示すように、封止部材８１を引き抜き方向（Ｘ方向）に引っ張ったときに、突出ピン８２が大径部７０ｂの上面７０ｃと係合する位置Ｐは、突出ピン８２がないとしたときに拡張片７３ｃが上面７０ｃと係合すべき位置（すなわち、先端部７３ｄ）よりもフランジ部７８側に位置している。
【００８７】
すなわち、突出ピン８２と上面７０ｃとの係合状態では、拡張片７３ｃと上面７０ｃとが係合しないように構成されている。したがって、封止部材８１に引き抜き方向の外力が加わった場合には、まず突出ピン８２と上面７０ｃとの係合によりその引き抜きが強固に阻止されるようになっている。
【００８８】
そして、万一、突出ピン８２に破損や不具合が生じて上面７０ｃとの係合ができなくなってしまった場合、又は、不正行為により突出ピン８２と上面７０ｃとの係合が解除された場合、今度は、４つの拡張片７３ｃが上面７０ｃと係合することにより、封止部材８１の引き抜きが阻止されるようになっている。係合が二重に機能しており、１つの係合が解除されても２つ目の係合が主制御基板ケース６６の開放を阻止するので、主制御基板３４への不正アクセスが一層強固に防止される。
【００８９】
以上、本発明の好ましい実施の形態を説明したが、本発明はこれらに限定されるものではなく、その要旨の範囲内で様々な変形や変更が可能である。
【００９０】
例えば、上記実施形態２の封止部材７１においては、本体部７２の周溝７２ｃに対して拡張部７３の屈曲部７３ａが係合され、本体部７２に対して拡張部７３が周方向に回転可能とされている。
【００９１】
しかしながら、例えば、図１４にその変形例２を示すように、拡張部７３の底部７３ｂにカシメ孔７３ｅが開口され、本体部７２の下部側の対応位置にカシメ凸部７２ｆが突出形成され、カシメ孔７３ｅにカシメ凸部７２ｆを挿入した後に両者をカシメ結合してもよい。周溝７２ｃと屈曲部７３ａとの係合に加え、カシメ孔７３ｅとカシメ凸部７２ｆとによるカシメ結合がされるので、本体部７２と拡張部７３との結合がより一層高強度となる。万一、屈曲部７３ａが周溝７２ｃから脱落することがあっても、カシメ結合によって両者の分離が阻止される。
【００９２】
また、本体部７２と拡張部７３とのカシメ結合により、本体部７２に対して拡張部７３を周方向に回転不可とすることもできる。
【００９３】
なお、本発明は、以下の内容をも、その趣旨に含める。
【００９４】
（１）電子基板を内包する基板ケースを構成する第１ケース及び第２ケースと、
前記基板ケースを封止する封止部材と、を備え、
前記第１ケースには、前記封止部材を貫通させる貫通孔が形成され、
前記第２ケース側には、前記封止部材を挿入する挿入穴が配置され、
該封止部材は、
前記貫通孔を貫通して前記挿入穴に挿入される略円柱状の本体部と、
該本体部の上部側において突出形成されたフランジ部と、
該本体部から側方に向けて拡張可能な拡張部と、を有し、
前記フランジ部が前記貫通孔の入口近傍に係合し、かつ、前記拡張部が前記挿入穴内部に形成された係合凹部に係合することにより、前記第１ケースと前記第２ケースとの封止が実現され、
前記拡張部が、前記本体部から側方に向けて拡張する複数の拡張片を有しており、かつ、
前記本体部が前記挿入穴に挿入された際に、該複数の拡張片が放射方向に拡張することにより前記係合凹部に係合する基板ケースユニットと、
該基板ケースユニット内に内包される前記電子基板と、
遊技媒体を用いた遊技を実現する遊技装置体と、
該遊技装置体を保持する遊技機枠と、を有する遊技機。
【００９５】
（２）前記拡張部が、前記本体部と別体として構成され、かつ、
前記本体部における上部側と反対側の下部側に配置され、
前記下部側から前記上部側に向かうに従い、少なくとも一部の前記拡張片の拡張幅が拡大している、上記（１）に記載の遊技機。
【００９６】
（３）前記本体部の周面には、周方向に沿って周溝が凹設され、かつ、
前記拡張片の少なくとも一部が、前記周溝と係合することにより前記本体部からの前記拡張部の脱落を防止している、上記（２）に記載の遊技機。
【００９７】
（４）前記本体部の一部と前記拡張部の一部とが、前記下部近傍において結合されることにより前記本体部からの前記拡張部の脱落を防止している、上記（２）又は（３）に記載の遊技機。
【００９８】
（５）前記第２ケースに、該第２ケースと別体として構成された係合部材が設置され、
該係合部材に、前記係合凹部が形成された前記挿入穴が開口されている、上記（１）から（４）のうちいずれかに記載の遊技機。
【００９９】
本発明は、更に以下の内容をも、その趣旨に含める。
【０１００】
（６）電子基板を内包する基板ケースを構成する第１ケース及び第２ケースと、
前記基板ケースを封止する封止部材と、を備え、
前記第１ケースには、前記封止部材を貫通させる貫通孔が形成され、
前記第２ケース側には、前記封止部材を挿入する挿入穴が配置され、
該封止部材は、
前記貫通孔を貫通して前記挿入穴に挿入される略円柱状の本体部と、
該本体部の上部側において突出形成されたフランジ部と、
該本体部から側方に向けて拡張可能な拡張部と、を有し、
前記フランジ部が前記貫通孔の入口近傍に係合し、かつ、前記拡張部が前記挿入穴内部に形成された係合凹部に係合することにより、前記第１ケースと前記第２ケースとの封止が実現され、
前記拡張部が、前記本体部から側方に向けて拡張する複数の拡張片を有しており、
前記本体部が、該拡張片を収納する収納部を有しており、かつ、
前記本体部が前記挿入穴に挿入された際に、該複数の拡張片が放射方向に拡張することにより前記係合凹部に係合する基板ケースユニットと、
該基板ケースユニット内に内包される前記電子基板と、
遊技媒体を用いた遊技を実現する遊技装置体と、
該遊技装置体を保持する遊技機枠と、を有する遊技機。
【０１０１】
（７）前記封止部材が、前記本体部から側方に向けて進退可能に突出する突出ピンを、前記複数の拡張片と別に有し、
該突出ピンは、突出状態で前記係合凹部に係合するように構成されており、かつ、
前記突出ピンと前記係合凹部との係合状態においては、前記拡張片と前記係合凹部とが係合しないように構成されている、上記（６）に記載の遊技機。
【０１０２】
（８）前記拡張部が、前記本体部と別体として構成され、かつ、
前記本体部における上部側と反対側の下部側に配置され、
前記下部側から前記上部側に向かうに従い、少なくとも一部の前記拡張片の拡張幅が拡大している、上記（６）に記載の遊技機。
【０１０３】
（９）前記本体部の一部と前記拡張部の一部とが、前記下部近傍において結合されることにより前記本体部からの前記拡張部の脱落を防止している、上記（７）又は（８）に記載の遊技機。
【０１０４】
（１０）前記第２ケースに、該第２ケースと別体として構成された係合部材が設置され、
該係合部材に、前記係合凹部が形成された前記挿入穴が開口されている、上記（６）から（９）のうちいずれかに記載の遊技機。
【符号の説明】
【０１０５】
Ｈ１，Ｈ２：長手方向寸法
Ｄ１：段差寸法
Ｄ２：厚さ寸法
Ｐ：位置
Ｘ：矢印（方向）
２，６２：パチンコ機（遊技機）
３：遊技機枠
４：外枠
５：遊技盤ユニット（遊技装置体）
６：遊技盤
６ａ：遊技盤面
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄）表示装置
２２：ヒンジ
２３：遊技球
２５：風車
２６：レール飾り
２６ａ：外レール
２７：遊技釘
２８：普通入賞口
２９：始動入賞口
３０：アウト口
３１：大入賞口
３２：装飾部材
３３：ゲート
３４：主制御基板（電子基板）
３４ａ：基板
３４ｂ：集積回路
３４ｃ：接続コネクタ
３４ｄ：表面
３４ｆ：固定穴
３５，６６：主制御基板ケース（基板ケース）
３５ａ，６６ａ：本体ケース（第１ケース、基板ケースの一部）
３５ｂ，６６ｂ：蓋ケース（第２ケース、基板ケースの一部）
３５ｅ：弧状爪部
３６：演出制御基板ケース
３７：払出制御基板ケース
３８：電源基板ケース
３９：外部出力端子板
４１，７４：封止部
４２：貫通孔
４３，７０：挿入穴
４３ａ：係合溝（係合凹部）
４３ｂ，７０ｃ：上面
４４，７１，８１：封止部材
４４ａ，７２，８１ａ：本体部
４４ｂ，７８：フランジ部
４５，６５，７７：基板ケースユニット
４６，７３：拡張部
４６ａ：分離部
４６ｂ：切欠き部
４７，７２ａ：小径部
４８，７２ｄ：大径部
４８ａ：突出部（大径部の一部）
４９，７３ｃ：拡張片
４９ａ：上端部
５０：突出ピン
５１：テーパ面
５２：スリット
６７：係合フック
６８：係合穴
７０ａ：小径部
７０ｂ：大径部（係合凹部）
７２ｂ，８５：周面
７２ｃ：周溝
７２ｅ：テーパ部
７２ｆ：カシメ凸部
７３ａ：屈曲部
７３ｂ：底部
７３ｄ：先端部
７３ｅ：カシメ孔
７５：受け穴
７６：受け部材（係合部材）
７９：押え部材
８２：突出ピン
８３：収容部
８４：カシメ部
【図１】
0005754805.tif 000002
【図２】
0005754805.tif 000003
【図３】
0005754805.tif 000004
【図４】
0005754805.tif 000005
【図５】
0005754805.tif 000006
【図６】
0005754805.tif 000007
【図７】
0005754805.tif 000008
【図８】
0005754805.tif 000009
【図９】
0005754805.tif 000010
【図１０】
0005754805.tif 000011
【図１１】
0005754805.tif 000012
【図１２】
0005754805.tif 000013
【図１３】
0005754805.tif 000014
【図１４】
0005754805.tif 000015